(57)【要約】  連接式ランプ。ランプ（１０）は優れており、しゃれた、審美的なプロファイルを有していると共に、強固な機能性とアーティキュレーションを提供している。ランプは少なくとも一のジョイント（１６、２２、２６）を有し、このジョイントがランプのアームを曲げたり回転させたりするとともに、ジョイントを引き離したり元に差し込んだりする機能性を提供している。曲がる、ヒンジ結合された、あるいは回動するジョイントが、隣接する部材間に露出した配線を用いることなく電力を転送する。ランプベース（１２）又は取付機構に関して、重りの付いたベース、クランプ、テーブルを通るマウント、ウォールマウントを含む、様々な構造的オプションがある。このしゃれたランプの考えられるバージョンは、様々なアーム及びジョイント構造を具え、ランプが幅広く取り付けとアプリケーションを提供する一方で、標準的な部品を使用できる。【選択図】図１
2013504164.tif 000002
【特許請求の範囲】
【請求項１】
導電連接ジョイントアッセンブリにおいて：
相対的にスペースを空けた関係にある第１及び第２の面によって規定されるセンターエレメントであって、当該センターエレメントが当該エレメント内に形成したソケットであって、第１の端部において前記第１及び第２の面に対する開口と第２の端部における第３の開口を規定するソケットとを更に具え；
第１のコンタクトプレートと、当該プレートから延在する第１のコンタクトアームを有し、当該第１のコンタクトエレメントが前記第１の面と並列である、第１のコンタクトエレメントと；
第２のコンタクトプレートと、当該プレートから延在する第２のコンタクトアームを有し、当該第２のコンタクトエレメントが前記第２の面と並列である、第２のコンタクトエレメントと；
一対のハウジングハーフであって、各ハウジングハーフが前記コンタクトエレメントの１つに取り付けられている、
ことを特徴とする導電連接ジョイントアッセンブリ。
【請求項２】
請求項１に記載のジョイントアッセンブリにおいて、前記センターエレメントと、前記第１のコンタクトプレートと、共通の回転軸を規定する前記ハウジングハーフが共通の回転軸を規定しており、ここで、前記センターエレメントが前記ハウジングハーフと前記コンタクトプレートに対して前記共通の軸の周りを回転できることを特徴とするジョイントアッセンブリ。
【請求項３】
請求項２に記載のジョイントアッセンブリがさらに、前記ソケット内に挿入された捕捉導電ペグを具え、当該ペグが前記ペグの一方の端部近傍に接触する一対の電気コンタクトを具え、当該コンタクトの一方が前記ペグに沿って前記第１のコンタクトエレメントと接触するように協働して配置されており、前記コンタクトの他方が、前記第２のコンタクトエレメントと接触するように前記ペグに沿って協働して配置されていることを特徴とするジョイントアッセンブリ。
【請求項４】
請求項３に記載のジョイントアッセンブリにおいて、前記捕捉導電ペグが前記捕捉導電ペグの第２の端部から延在する第１及び第２のリード線によって規定されており、前記第１のリード線が前記一方の電気コンタクトと電気的に接触しており、前記第２のリード線が前記他方の電気コンタクトと電気的に接触していることを特徴とするジョイントアッセンブリ。
【請求項５】
請求項４に記載のジョイントアッセンブリにおいて、前記センターエレメントの第１の面がそこに形成した第１の円形溝を有し、当該第１の溝の半径方向の径が、前記捕捉導電ペグが前記ソケットに挿入されるときに前記捕捉導電ペグ上の前記一方の電気コンタクトに対応することを特徴とするジョイントアッセンブリ。
【請求項６】
請求項５に記載のジョイントアッセンブリにおいて、前記センターエレメントの第２の面がそこに形成した第２の円形溝を有し、当該第２の溝の半径方向の径が、前記捕捉導電ペグが前記ソケットに挿入されるときに前記捕捉導電ペグ上の前記他方の電気コンタクトに対応することを特徴とするジョイントアッセンブリ。
【請求項７】
請求項６に記載のジョイントアッセンブリにおいて、前記第１のコンタクトプレートと前記第２のコンタクトプレートが、それぞれ、プレート表面から突出する第１の円形コンタクトリッジと第２の円形コンタクトリッジを具え、前記第１及び第２の円形コンタクトリッジが前記第１及び第２の溝の半径方向の径に対応する半径方向の径を規定しており、前記捕捉導電ペグの上の一方の電気コンタクトとそれぞれ共動するように構成されており、これによって、前記捕捉導電ペグが前記ソケットに挿入されると前記協働する電気コンタクトとコンタクトリッジとの間が電気的に導通することを特徴とするジョイントアッセンブリ。
【請求項８】
請求項７に記載のジョイントアッセンブリにおいて、前記第１及び第２のコンタクトアームが、前記各コンタクトアームから突出している第１及び第２のコンタクトリッジによって規定されることを特徴とするジョイントアッセンブリ。
【請求項９】
ランプ装置において：
内部に収納した一又はそれ以上の光アッセンブリを有するランプアームであって、更に、当該アームから延在する連動可能な導電ペグを具えるランプアームと；
ベース部材から延在する導電連接ジョイントアッセンブリであって、前記ベース部材が重りの付いたベース、クランプ、テーブル連通型マウント、又はウォールマウントからなる群から選択されており、前記ジョイントアッセンブリがその中に前記連動可能な導電ペグを開放可能に受ける連動ソケットを有する、導電連接ジョイントアッセンブリと；
を具えることを特徴とするランプ装置。
【請求項１０】
請求項９に記載のランプ装置が更に：
前記ランプ炉支持し、当該ランプに電力を提供する連接アームであって：
前記ベース部材に回転可能に取り付けられている第１のアームを具え；
前記導電連接ジョイントアッセンブリが前記第１のアームから延在しており、前記ジョイントアッセンブリが前記連動可能な導電ペグを開放可能に受ける連動ソケットを有する、
ことを特徴とするランプ装置。
【請求項１１】
請求項１０に記載のランプ装置が更に：
前記連接アームが前記第１のアームに回動可能に取り付けられた第２のアームを具え；
前記導電連接ジョイントアッセンブリが前記第２のアームから延在している、
ことを特徴とするランプ装置。
【請求項１２】
請求項１１に記載のランプ装置において、前記導電連接ジョイントアッセンブリが：
相対的にスペースを空けた第１及び第２の面によって規定されるセンターエレメントであって、更に、その中に形成したソケットを具え、当該ソケットが第１の端部において前記第１及び第２の面に対する開口を、及び第２の端部において第３の開口を規定している、センターエレメントと；
第１のコンタクトプレートと、そこから延在する第１のコンタクトアームを有する第１のコンタクトエレメントであって、前記第１のコンタクトエレメントが前記第１の面に並置されている、第１のコンタクトエレメントと；
第２のコンタクトプレートと、そこから延在する第２のコンタクトアームを有する第２のコンタクトエレメントであって、前記第２のコンタクトエレメントが前記第２の面に並置されている、第２のコンタクトエレメントと；
一対のハウジングハーフであって、各々のハウジングハーフが前記コンタクトエレメントの一方に取り付けられているハウジングハーフと；
を具えることを特徴とするランプ装置。
【請求項１３】
請求項１２に記載のランプ装置において、前記センターエレメントと、前記第１のコンタクトプレートと、前記第２のコンタクトプレートと、前記ハウジングハーフが、共通の回転軸を規定しており、前記センターエレメントが前記ハウジングハーフ及び前記コンタクトプレートに対して前記共通の軸の周りを回転できることを特徴とするランプ装置。
【請求項１４】
請求項１３に記載のランプ装置において、前記ジョイントアッセンブリが更に、前記ソケットに挿入した捕捉導電ペグを具え、当該ペグが、当該ペグの一方の端部近傍に一対の電気コンタクトを具え、前記電気コンタクトの一方が前記ペグに沿って協働して配置されて前記第１のコンタクトエレメントと接触しており、前記電気コンタクトの他方が前記捕捉導電ペグに沿って協働して配置されて前記第２のコンタクトエレメントと接触していることを特徴とするランプ装置。
【請求項１５】
請求項１４に記載のランプ装置において、前記捕捉導電ペグが、前記捕捉導電ペグの第２の端部から延在する第１及び第２のリード線によって規定され、前記第１のリード線が前記一方の電気コンタクトと電気的に接触しており、前記第２のリード線が前記他方の電気コンタクトと電気的に接触していることを特徴とするランプ装置。
【請求項１６】
請求項１５に記載のランプ装置において、前記センターエレメントの第１面が、その中に形成された第１の円形溝を具え、当該第１の溝の半径方向の径が、前記捕捉導電ペグが前記ソケットに挿入されたときに前記捕捉導電ペグ上の前記電気コンタクトの一方に対応することを特徴とするランプ装置。
【請求項１７】
請求項１６に記載のランプ装置において、前記センターエレメントの第２面が、その中に形成された第２の円形溝を具え、当該第２の溝の半径方向の径が、前記捕捉導電ペグが前記ソケットに挿入されたときに前記捕捉導電ペグ上の前記電気コンタクトの他方に対応することを特徴とするランプ装置。
【請求項１８】
請求項１７に記載のランプ装置において、前記第１のコンタクトプレートと前記第２のコンタクトプレートが、それぞれ、プレート表面から突出する第１の円形コンタクトリッジと第２の円形コンタクトリッジを具え、前記第１及び第２の円形コンタクトリッジが前記第１及び第２の溝の半径方向の径に対応する半径方向の径を規定しており、前記捕捉導電ペグの上の一方の電気コンタクトとそれぞれ共動するように構成されており、これによって、前記捕捉導電ペグが前記ソケットに挿入されると前記協働する電気コンタクトとコンタクトリッジとの間が電気的に導通することを特徴とすることを特徴とするランプ装置。
【請求項１９】
請求項１８に記載のランプ装置において、前記第１及び第２のコンタクトアームが、前記コンタクトアームからそれぞれ突出している第１及び第２のコンタクトリッジによって規定されており、前記第１及び第２のコンタクトリッジが前記連動可能な導電ペグの上に配置された一の電気コンタクトと各々協働するように構成されて、前記連接アームから前記ランプアームへ電力を提供することを特徴とするランプ装置。
【請求項２０】
請求項１９に記載のランプ装置において、前記導電連接ジョイントアッセンブリが：
前記ソケット内にあり、前記第１のアーム又は第２のアームと前記ソケットの間に延在する、捕捉導電ペグと；
前記ソケットの周囲に形成されたカラー構造の対向する側部に係合する一対のフィンガエレメントと；
前記フィンガエレメントの間に延在するねじ付ステムと、前記第１のアーム又は前記第２のアームに挿入するアンカインサートと；
前記カラーを前記第１のアーム又は前記第２のアームから離れる方向にバイスするバイアス部材と；
前記カラー及び前記バイス部材の間に配置した端部キャップと；
を具えることを特徴とするランプ装置。
【発明の詳細な説明】
【技術分野】
【０００１】
本発明は、一般的に照明器具に関し、特に、連接式ランプに関する。
【背景技術】
【０００２】
作業台に有用な照明を局所的に提供するためにデスク、テーブルなどの上に置くように構成したランプは、多年に亘って広く入手することができた。更に、最大限の照明能力と有用性を提供するために、これらのランプのほとんどが、ベースから照明アッセンブリ（アームの遠位端にある）へ延在する位置決め可能なアームを有する。今日では、照明製品の最も新しいアイディアは、ＬＥＤ光源を用いた製品の形態をとっている。ＬＥＤは、極めて長い寿命と、明るさと、高品質な光と、実質的により小さい形状因子を提供し、エレガントで、しゃれたランプ設計に役立っている。
【０００３】
従来の位置決め可能な、あるいは連接式のデスクランプアームは、エルボー状ジョイントによって相互連結された一連のリンケージでできていた。この照明アッセンブリでは、ボールアンドソケットタイプのジョイントを用いており、ユーザは、ランプの光を様々な方向に向けることができる。このリンケージは、通常、眼に見えるばねを具えており、これが必要な張力を提供して、作業面の所望の位置にランプアームを手で位置決めすることができた。このばねとジョイントは、ユーザが動かすまで、アームを正しい位置に保持する。
【０００４】
連接式又は位置決め可能なデスクランプのこれらの従来の形は、機能的に満足できるものであるが、審美的観点からは非常に素晴らしいものではない。更に、しゃれたデザインは、今日ではＬＥＤライトを使用することで可能になり、モジュールは、旧式のばねで負荷をかけたリンケージ設計にマッチしないようである。製造者は、旧式のアームデザインによってはほぼなくなってしまった、しゃれた審美を有する非常にモダンな照明アッセンブリを作ることができる。
【０００５】
ここで、必要なものは、少なくとも従来のばね式デザインの機能性を具えており、ＬＥＤライトアッセンブリを使用することによって可能となった進歩した審美的特徴を有する、連接式アームを具えたデスクタイプのランプである。
【発明の概要】
【０００６】
従来の装置及びシステムに関連する上述の問題点をかんがみて、本発明の目的は連接式ランプを提供することである。このランプは、優れており、しゃれた、審美プロファイルを提供する一方で、ロバストな機能性と連接性を提供するものである。このランプは、ランプのアームを連接して回転させるとともに、このジョイントを互いに引っ張って差し込むことができる機能を組み合わせた少なくとも一のジョイントを具える。連接式、ヒンジ型、あるいは回動型ジョイントは、露出したワイヤを用いることなく隣接する部材間で電力を送信できるものでなくてはならない。ランプは、重り付きベース、クランプ、貫通型テーブルマウント、あるいはウォールマウントを含む、ベースあるいは取付機構に関する様々なオプションを有する。このしゃれたランプは、様々なアーム及びジョイント構造のバージョンがあり、このランプは、標準的な部品群を有しているにもかかわらず、幅広い設備及びアプリケーションとして機能する。
【図面の簡単な説明】
【０００７】
本発明の目的と特徴は新規であると考えられ、特に特許請求の範囲に記載されている。構成と操作方法に関する本発明は、更なる目的と利点と共に、添付図面に関連させた以下の説明を参照することによって、最も良く理解される。
【図１】図１は、本発明の連接式ランプの好ましい実施例を示す斜視図である。
【図２】図２は、図１に示すランプのベース領域を示す部分的分解斜視図である。
【図３】図３は、図１に示すランプの角のある第２の連結部を示す分解斜視図である。
【図４】図４は、図１に示すランプの連接アッセンブリを示す部分的分解斜視図である。
【図５】図５は、図１に示すランプの連接アッセンブリを示す分解斜視図である。
【図６】図６は、図４及び５に示すアッセンブリの捕捉電導ペグを示す斜視図である。
【図７】図７は、図４及び５に示すアッセンブリの端部キャップを示す斜視図である。
【図８】図８は、図４及び５に示すアッセンブリの部分を示す部分的分解平面図である。
【図９】図９は、図４及び５に示すアッセンブリの部分を示す部分的分解底面図である。
【発明を実施するための形態】
【０００８】
以下の説明は、当業者が本発明を製造して使用できるように記載されており、この発明を実施する発明者が予期するベストモードを説明している。しかしながら、本発明の真の原理は、特に連接式ランプを提供するように規定されているので、様々な変形が当業者には明らかである。
【０００９】
本発明は、図１を最初に考えることによって最も良く理解することができる。図１は、本発明の連接式ランプ１０の好ましい実施例を示す斜視図である。図に明らかなように、ランプ１０は清潔で、しゃれた形をしており、この形は以前はどのような製造者によっても実現できなかった。重要なことは、以下に更に説明するように、ランプ１０が、これまでは従来の露出スプリングのデスクランプにおいてのみ可能であった照明品質とユーザの機能性を提供しており、むしろこれを超えていることである。
【００１０】
ランプ１０は、ベース１２の平坦な支持面の上に乗っている。第１の回転ジョイント１４がベース１２から上方へ延在しており、ランプ１０のアームをほぼ垂直な軸を中心に回転させる。他のデザインでは、ベース１２が別に構成されている（クランプ、重りなど）。第１の回転ジョイント１４にすぐ近傍に第１の連接ジョイント１６がある。第１の連接ジョイント１６が第１のアーム２０をほぼ水平な軸を中心にヒンジ状に動かして、第１のアーム２０が水平方向と垂直方向の間（最大約１８０度の全移動範囲）を移動するようにする。
【００１１】
このバージョンでは、一対のしゃれた照明制御ボタン１８が第１のアーム２０の上側表面に設けられており、これらのボタンの一方、または他方を押すことで、ランプ１０によって発生する光強度が上下する。別のバージョンでは、例えば、タッチセンサ式パッド（固相状態）を用いても良い。
【００１２】
第１のアーム２０は、第２の連接ジョイント２２の遠位端で終端している。これは、第２のアーム２４が第１のアーム２０に接触しているところでもある。第１の連接式ジョイント２０と同様に、第２の連接式ジョイント２２によって、第２のアーム２４がほぼ水平な軸を中心に、最大１８０度の移動全範囲で回動する。
【００１３】
ランプ２８は、連接アッセンブリ２６から延在している。このランプ１０のバージョンは、ランプアーム２８の面３１に沿ってスペースを空けて分光する６つの光エレメント３０を有する。これらの光エレメント３０は、溝付きＬＥＤクラスタであっても良く、このクラスタは、各ＬＥＤクラスタからライトアーム２８の面３１へ延在する円錐状バッフルを有する。もちろん、特定のアプリケーションに応じた、あるいはランプ１０用その他のバージョンを提供することもできる。
【００１４】
本発明のランプ１０の重要な部分は連接アッセンブリ２６である。なぜなら、このアッセンブリによって、このような審美的に感じの良いパッケージにおいて、従来はできなかった可動範囲が得られるからである。連接アッセンブリ２６は、第２のアーム２４と相互接続しており、ランプアーム２８に以下の動きをさせることができる：
Ｒ１−この連結部をワイヤが通っていないので、第２のアーム２４の縦軸に平行な軸を中心にアッセンブリ２６が無制限に回転する；
Ａ−最大約２００度の移動全範囲での、第２のアーム２４に対する角運動；
Ｒ２−Ｒ１と同様に、ランプアーム２８の縦軸に平行な軸を中心にランプアーム２８が無制限に回転する。
【００１５】
アーム、ジョイント、及び光エレメントのその他の組み合わせを用いて、ユーザの必要な最も幅広い範囲を満たすようにしても良い。してみれば、ここに示す特定の方向及び構成は、本発明の属性を示す単なる例として提供されているにすぎない。ここで、図２を参照して、上述のエレメントについてより詳細に述べる。
【００１６】
図２は、図１のランプのベース領域の部分的分解斜視図である。ベース１２は、ベースから延在しているほぼ円筒状のペグ３２を有する。第１の回転ジョイント１４は、ペグ３２と第１のヒンジハーフ３６との間にインターフェースを具える。第１のヒンジハーフ３６には、ペグ３２を受けるように構成されたソケット３４が形成されている。このインターフェースによって、ベース１２と第１のヒンジハーフ３６との間が回転自在となる。
【００１７】
第１のアーム２０は、第２のヒンジハーフ３８においてその近位端で終端している。第１及び第２のヒンジハーフ３６と３８は、ボルト４０及びナット４２と協働して、第１の回転ジョイント１４と第１のアーム２０との間に本質的にヒンジを形成している。これらの２つのジョイント１６及び１４の組み合わせによって、第１のアーム２０が回転して、ベース１２に対して上下する。
【００１８】
第１の連接ジョイント１６は、ペグ３２と第１のアーム２０との間に、しっかりしたエルボー状の連結を提供するように設計されている。ジョイント１６が繰り返して締めつけることが必要な場合（いくつかの従来技術のアッセンブリはこれを必要とすることが知られている）は、この連結は望ましくないので、ばね３３をジョイント１６内に捕捉して、ユーザが第１のアーム２０をセットする角度を確実に保持するようにする。審美的に最適にするために、ナット４２がその中に、ばね３３が入るキャビティを有している（図示せず）。
【００１９】
一対のヒンジキャップ３７が第１のヒンジハーフ３６をブラケットで取り付けており、これらのキャップ３７がばね３３と共に作用して、上述の保持力を提供する。ワッシャ３５とスペーサ３９も、ジョイント１６を構成するアッセンブリの一部である。図３は、ランプ内の次のジョイントのエレメントを示す。
【００２０】
図３は、図１に示すランプの第２の連接ジョイント３２を示す分解斜視図である。第２の連接ジョイント３２は、第１の連接ジョイント（図２参照）と基本的に同じであるが、回転用のペグ付インターフェースのソケットがなく、オフセット回転軸があるため、第２のアーム２４が第１のアーム２０に対して平らに折りたためる点が異なる。第１のヒンジハーフ３６と第２のヒンジハーフ３８は互いに、及びボルト４０、ナット４２、ばね３３、ワッシャ３５、及びスペーサ３９（ジョイント１６とほぼ同じ）と協働して、第２の連接ジョイント３２を形成しており、第１及び第２のアーム２０及び２４の間で回転運動あるいは角運動を行うことができる。第１及び第２のエルボーエレメント４１Ａ、４１Ｂがヒンジハーフ３８を形成しており、アームの回転軸をオフセットさせて（第１のアームの縦軸に対して）、２本のアーム２０、２４が互いに折りたためるようになっている。図４は、好ましい連接アセンブリ２６の最初の導入を示している。
【００２１】
図４は、図１に示すランプの連接アセンブリ２６の部分的分解斜視図である。この連接アッセンブリ２６には従来のランプにはない少なくとも２つの重要な特徴がある。第１に、第２のアーム２４とランプアーム２８の間の回転ジョイント４６である。第２に、ランプアーム２８が、スナップで取り付け及び取り外しを行って連接アッセンブリ２６と（工具を用いることなく）相互接続できることである。このジョイント４６はランプアーム２８用の第２のアーム２４内でリード線と電気的に導通しているので、特に有用である。
【００２２】
アッセンブリ２６は、遠位端に導電ソケット５０を有しており、ランプアーム２８の近位端から延在する相互係止可能な導電ペグ４８とインターフェースをとっている。ペグ４８は、絶縁スリーブで囲まれており、その周りには一対の電気接触子５２がペグ４８の長さに沿ってスペースを空けて（及びこれらの間に絶縁体を有して）配置されている。２つの接触子５２のうちの１つは導電コア（図示せず）と電気的に導通している。先端５４は非導電材料（ナイロン、その他）でできており、中に溝が形成されて、ソケット５０内に「クリック」する特徴を作っている。相互係止すると、ペグ４８は回転可能となるが、ランプアーム２８をしっかり引っ張ってソケット５０から取り外すまで、ソケット５０との係止が解除されない。ランプアーム２８が取り外し可能であるため、ランプアーム２８（及び照明エレメント）を交換することができる一方、残りのランプ（図１を参照）エレメントはそのまま残る。この進歩により、実質的に製造コストを低減することが期待される。図５は、連接アッセンブリ２６を実質的に詳細に示す図である。
【００２３】
図５は、図１に示すランプの連接アッセンブリ２６を示す分解斜視図である。第２のアーム２４の先頭に、アンカーインサート５６が第２のアーム２４内に取り付けられている。このインサート５６は、連接アッセンブリ２６を具えるその他のエレメントに第２のアーム２４を取り付ける働きをする。中央エレメント７０は、そこから延在するカラー６８を有する。カラー６８は一対のフィンガエレメント６４と係合している。各フィンガエレメント６４は、そこから延在するねじ付きステム６６を有しており、完全に組み立てると、ねじ付きステム６６がそれぞれアンカーインサート５６に形成されている開口を通って、ナットまたはその他の固定手段（図示せず）でインサート５６に保持される。
【００２４】
アッセンブリ２６を組み立てるときに、捕捉した導電ペグ６２がセンターエレメント７０に形成されているソケット７３から、端部キャップ６０、ばね５８、及びアンカーインサート５６を通って延在する。フィンガエレメント６４とねじ付きステム６６がアンカーインサート５６をカラー６８に保持して、その他のエレメントをこれらの間に挟んでおく。ねじ５８がアンカーインサート５６から離れる方向に端部キャップ６０をバイアスして、センターエレメント７０を適所にしっかり保持するが、捕捉した導電ペグ６２を中心に回転できるようにする。
【００２５】
センターエレメント７０は第１の面７１Ａ（図の上）と、第２の面７１Ｂを有する。導電性の外側コンタクトエレメント７４が、第１のハウジングハーフ７２Ａと第１の面７１Ａの間に捕捉されている。やはり導電性の内側コンタクトエレメント７６が、第２のハウジングハーフ７２Ｂと第２の面７１Ｂとの間に捕捉されている。センターエレメント７０と、第１のハウジングハーフ７２Ａと、第２のハウジングハーフ７２Ｂはすべて非導電性であり、従って、様々な導電エレメント間を絶縁している。
【００２６】
インターフェーススリーブ７９は、２つのハウジングハーフ７２Ａと７２Ｂをランプアーム２８に相互連結している。係止導電ペグ８０は、ソケットエレメント７８内に形成した中央ボア（図示せず）に開放可能に係止している。係止導電ペグ８０上の導電コンタクトは、ペグ８０がソケットエレメント７８に取り付けられると、２つのコンタクトエレメント７４と７６の先端を電気的に導通させる。ここで、図６乃至９を参照して、アッセンブリ２６の特徴を更に詳細に述べる。
【００２７】
図６は、図４及び５に示すアッセンブリの捕捉した導電ペグ６２の斜視図であり、図７は、図４及び５に示すアッセンブリの端部キャップ６０の斜視図である。捕捉した導電ペグ６２（及び図５に示すアッセンブリ２６のその他の付属エレメント）は、ベースから延在するペグ（図２参照）と同様に、ランプの隣接する構造部材間を相対的に回転させる。捕捉した導電ペグ６２は、第２のアームからランプアーム（図５参照）へ電気的に導通するさらなる属性を有する。
【００２８】
端部キャップ６０は、キャップを通って捕捉した導電ペグ６２と協働するように形成されたボア９６を具え、ペグ６２がボア９６を通っている。ペグ６２上のショルダ８８は、のど部９４の上面（この図では左側）にあたる。
【００２９】
図５に戻ると、ばね５８が端部キャップ６０をアンカーインサート５６から離れる方向に押圧し、フィンガエレメント６４とねじ付きステム６６と、アンカーインサート５６がこのバイアス力に対向して、エレメントを互いに維持する。フィンガエレメント６４はそれぞれカラー６８に係合して、この抵抗力を作る。ねじ付きステム６６はアンカーインサート５６に螺合する。ばねの力が、連接アッセンブリ２６の角度位置を確実に保持するように作用する。
【００３０】
ペグ６２は、センターエレメント７０のソケット７３に挿入されている端部にある２つの金属コンタクトによって規定されている。この例では、凸コンタクト８２がペグ６２の先端部にある。凹コンタクト８４はショルダ８８と、２つのコンタクト８２、８４を分離している絶縁ストリップ８６の間に配置されている。凹コンタクト８４はリード線９０に電気的に接続されている。凸コンタクト８２はリード線９２に電気的に接続されている。もちろん、電気線９０と９２は、第２のアーム（図１を参照）内に入れた電力供給線に接続されている。図８及び９は、図４及び５に示すアッセンブリに関連するその他の重要な構成要素の機能特性を示す。
【００３１】
図８は、このアッセンブリの一部を示す部分的分解平面図であり、図９は、図４及び５に示すアッセンブリの一部を示す部分的分解底面図である。特に、この２つの図面は、センターエレメント７０と２つのコンタクトエレメント７２、７４と、アッセンブリ（図１参照）をランプアーム（図１参照）に対してヒンジ動作と回転動作を行わせると共に、電力を送信するその他のエレメントを示している。
【００３２】
センターエレメント７０の第１の面７１Ａ（図５における上側）は、その中に形成され、面７１Ａの全周に亘る円形の丸溝１００Ａを有している。ペグ６２は、カラー６８に形成されたソケット７３内に完全に挿入された形で示されている。ソケット７３は少なくとも一部の長さが露出しているか切り取られており、コンタクト８４が見えている。コンタクト８４は、溝１００Ａに整列している。
【００３３】
外側コンタクトエレメント７４は、コンタクトプレート１０４Ａで規定されており、そこから延在するコンタクトアーム１０２Ａを有している。コンタクトアーム１０２Ａは、その遠位端近傍に形成されたアームコンタクトリッジ１０８Ａを有している。上述の図面に関連して述べたように、リッジ１０８Ａは、連動可能な導電ペグ（図４参照、エレメント５２及び４８）の上の電気コンタクトの１つに接続している。
【００３４】
コンタクトプレート１０４Ａは、そこから突出する円形コンタクトリッジ１０６Ａを有する。リッジ１０６Ａは、外側コンタクトエレメント７４がセンターエレメント７０の上端に配置されると、リッジ１０６Ａが溝１００Ａ内に入る。明らかに、このような状態では、リッジ１０６Ａはコンタクト８４とも接触し、これによって連動可能な導電ペグ（図４参照、エレメント５２及び４８）上の電気コンタクトの１つと、ペグ６２上のリード線９０、９２の１つとの間を電気的に接触させる。
【００３５】
同様に、図９に示すように、第２の面７１Ｂはその中に形成した溝１００Ｂを有する。この溝１００Ｂは、半径方向において、センターエレメント７０の面７１Ｂの中心により近い。それに応じて、円形コンタクトリッジ１０６Ｂがコンタクトプレート１０４Ｂの上に形成されており、内側コンタクトエレメント７６がセンターエレメント７０の第２の面７１Ｂに対向して配置されると、溝１００Ｂの中に入る。
【００３６】
明らかに、コンタクト８２はペグ６２がソケット７３に挿入されると、溝１００Ｂに整列する（ソケット７３は、少なくとも壁の一部が除去されて、ペグ６２の溝１００Ｂと整列している部分を露出させる。）。アームコンタクトリッジ１０８Ｂは、図８の外側エレメント１００Ｂと同様に、連動可能な導電ペグ（図４、エレメント５２及び４８）上の電気コンタクトの１つに整列しており、第２のアームのリード線とランプアーム（図１参照）内のリード線間が電気的に導通している。
【００３７】
ここでも、エレメントの配置と構成で明らかなように、内側及び外側コンタクトエレメント７４及び７６のペグ６２に対する回転が、リード線９０と９２の間の電気的接続性（従って、ランプアームに供給される電力）を妨げることがない。
【００３８】
当業者には、上述の好ましい実施例の変更及び変形が本発明の範囲及び精神から外れることなく構成できることは自明である。従って、特許請求の範囲内で、本発明はここに特に述べた以外に実施できると解される。特定の実施例は、ベース１２とランプ２８の間のアームの数が任意である、すなわち、１本のアーム、３本のアーム、連接アッセンブリ２６がベース１２に直接取り付けられているアームがないものでもよいことは当業者には自明である。ベース１２は重りの付いたベースでなくともよく、クランプ（すなわち、デスクへのクランプ）、ウォールマウント、あるいは表面を通って装着するマウント（すなわち、通過式テーブルマウント）であっても良い。
【図１】
2013504164.tif 000003
【図２】
2013504164.tif 000004
【図３】
2013504164.tif 000005
【図４】
2013504164.tif 000006
【図５】
2013504164.tif 000007
【図６】
2013504164.tif 000008
【図７】
2013504164.tif 000009
【図８】
2013504164.tif 000010
【図９】
2013504164.tif 000011
【国際調査報告】
2013504164.tif 000012
2013504164.tif 000013